(57)【要約】 【課題】  ゴルフクラブのヘッドカバーの開口部近傍に留め具を設けることにより、ゴルフプレーヤーの様々な要望に対応したアクセサリー類を取り付けることが可能なゴルフクラブのヘッドカバーを提供することにある。【解決手段】  ゴルフクラブのヘッド部及び前記ヘッド部に連結するシャフト部の一部を収納するゴルフクラブのヘッドカバー１０であって、その開口部１２の端辺にチェーンや紐等によりアクセサリー類を取り付け可能とする留め具１４を設けた。また、留め具の一端部は断面コ字状１４ａに形成されており、その両面の一部にリベット留め用の穴が設けられているとともに、該留め具の他端部はリング状の係止部１４ｃとして形成されている。【選択図】      図１
0003107347.tif 000002
【実用新案登録請求の範囲】
【請求項１】
ゴルフクラブのヘッド部及び前記ヘッド部に連結するシャフト部の一部を収納するゴルフクラブのヘッドカバーであって、その開口部の端辺にチェーンや紐等によりアクセサリー類を取り付け可能とする留め具を設けたことを特徴とするゴルフクラブのヘッドカバー。
【請求項２】
前記留め具の一端部は断面コ字状に形成されており、その両面の一部にリベット留め用の穴が設けられているとともに、該留め具の他端部はリング状の係止部として形成されていることを特徴とする請求項１記載のゴルフクラブのヘッドカバー。
【請求項３】
前記留め具は金属からなり、前記リング状の係止部は前記コ字状部に溶接にて接合されているとともに、該留め具は前記コ字状部を前記ヘッドカバーの開口部の端辺に跨がせてリベットを用いてかしめることにより取り付けられていることを特徴とする請求項１又は２記載のゴルフクラブのヘッドカバー。
【考案の詳細な説明】
【技術分野】
【０００１】
本考案は、ゴルフクラブのヘッド部及びシャフト部の一部を保護するために用いるゴルフクラブのヘッドカバーに関するものである。
【背景技術】
【０００２】
一般に、ウッドクラブやアイアンクラブ等からなる数本のゴルフクラブは一つのキャディーバッグにまとめて収容され運搬される。この時、チタン等の高価な材質からなるウッドやパターのクラブのヘッド部を保護するためには、前記ヘッド部にそれぞれヘッドカバーを取り付けることが多い。
【０００３】
また、近年では、カーボンシャフトのクラブが多数出回っており、カーボンシャフトは傷が付きやすいので、前記ヘッドカバーとヘッドに連なるシャフトの部分も併せて保護するような形態のゴルフクラブのヘッドカバーが市販されている。
【０００４】
例えば、特許文献１には、ゴルフクラブのヘッドを保護するヘッドカバーとヘッドに連なるシャフトの一部を保護するシャフトカバーとが一体に形成されたゴルフクラブのヘッドカバーが開示されている。
【０００５】
上記ゴルフクラブのヘッドカバーは、一端が閉塞された筒状を成し、その閉塞端がヘッドの収納部となっており、他端の開口からクラブのヘッドを挿入して、前記閉塞端に当接させると、残りの筒状部にシャフトの保護すべき範囲の部分が収納されて、この筒状部がシャフトカバー部となっている。
【０００６】
前記シャフトカバー部の筒状外面に、シャフトの長手方向に平行に一対の面ファスナ（商標名マジックテープ）が設けられており、クラブを収納した状態で、その対の面ファスナ同士を係合させることにより、筒状部が折り畳まれて、ヘッド部とシャフトの一部がカバーされるようになっている。
【０００７】
通常このようなゴルフクラブのカバーは、専らクラブを保護するための使用に留まっているが、当該ゴルフクラブのヘッドカバーに何らかの付加価値を付ける考案もなされている。例えば、特許文献２には、ゴルフ用のティーを収納する若しくは保持する手段を備えたゴルフクラブのヘッドカバーについての記載がある。
【０００８】
このヘッドカバーは、ボア等の素材で形成した袋状の本体の表面側にティー保持手段が取り付けられている。ティー保持手段は、比較的硬質の皮革等で形成した基板上に、伸縮性のあるゴム等で形成したベルトを取り付けた構成となっており、ティーをそのベルト内に挿通すると、弾性力でしっかりと固定されるようになっている。
【０００９】
そして、このヘッドカバーによれば、ティーを収納若しくは保持する手段を備えており、これを利用してティーを収納若しくは保持できるので、ティーを取り付けたヘッドカバーをゴルフクラブにセットしておけば、プレーの際にティーを素早く取り出すことができるとともに、ティーの紛失も防止でき、付加価値の高いヘッドカバーが提供できるとされている。
【００１０】
また、泥の付いたティーをポケットに入れて持ち運ぶことによる衣服の汚れを防止でき、さらに例えばそのティーを納めた専用のホルダ等を特にウェア等に取り付ける必要が無くなり、これによってプレーの邪魔にならなくてすむ等の効果も奏されるとされている。
【００１１】
【特許文献１】特開２０００−２４５８８２号公報（明細書全文）
【特許文献２】実開平５−５３６７５号公報（明細書全文）
【考案の開示】
【考案が解決しようとする課題】
【００１２】
しかしながら、上述したヘッドカバーは、ティーの持ち運びという用途に限定されており、その他種々のゴルフプレーヤーの要望、例えばボールが落ちて凹んだグリーンの修正に用いるフォーク類等の持ち運びには適用できない。
また、上述したいずれのヘッドカバーも、クラブをキャディバッグから取り出すときにクラブのヘッドから外してズボンのポケットに仕舞うかあるいはベルトに挟んでおき、クラブをキャディバッグに戻すときにはポケット等から出してヘッドに被せるようにしている。このため、ポケットに入れた状態では邪魔になるし、ベルトに挟んだ状態ではプレー中に落として紛失する場合もある。
【００１３】
本考案は、上述のような実情に鑑みなされたもので、その目的とするところは、ゴルフクラブのヘッドカバーの開口部近傍にチェーンや紐（リード）等を用いてアクセサリーを取り付けることができる留め具を設けることにより、ゴルフプレーヤーの様々な要望に対応可能なゴルフクラブのヘッドカバーを提供することにある。
【課題を解決するための手段】
【００１４】
本考案は、上記目的を達成するために、次の技術的手段を講じている。
即ち、請求項１に係るゴルフクラブのヘッドカバーは、ゴルフクラブのヘッド部及び前記ヘッド部に連結するシャフト部の一部を収納するゴルフクラブのヘッドカバーであって、その開口部の端辺にチェーンや紐等によりアクセサリー類を取り付け可能とする留め具を設けたことを特徴としている。
【００１５】
またさらに、請求項２に係るゴルフクラブのヘッドカバーは、請求項１記載のゴルフクラブのヘッドカバーにおいて、留め具の一端部は断面コ字状に形成されており、その両面の一部にリベット留め用の穴が設けられているとともに、該留め具の他端部はリング状の係止部として形成されていることを特徴としている。
【００１６】
請求項３に係るゴルフクラブのヘッドカバーは、請求項１又は２記載のゴルフクラブのヘッドカバーにおいて、留め具は金属からなり、前記リング状の係止部は前記コ字状部に溶接にて接合されているとともに、該留め具は前記コ字状部を前記ヘッドカバーの開口部の端辺に跨がせてリベットを用いてかしめることにより取り付けられていることを特徴としている。
【考案の効果】
【００１７】
本考案に係るゴルフクラブのカバーは、前記ゴルフクラブのカバーの開口部近傍に、チェーンや紐等によりアクセサリー類を取り付け可能とする留め具を設けたので、様々なアクセサリー類を取り付けることが可能となる。
【００１８】
そのため、例えば、ゴルフボールが落ちた際に凹んだグリーンの芝等をならす器具や、時計付きアクセサリー等を容易に取り付けることができ、また取り外すこともできる。
さらに、クラブをキャディバッグから取り出すときにクラブのヘッドから外したヘッドカバーのアクセサリーをズボンの後ポケットに入れヘッドカバーをポケットの外側にぶら下げる状態にしておけば、クラブをキャディバッグに戻すときに指でチェーンや紐を引っかけて持ち上げるだけでアクセサリーがポケットから取り出せるとともに、チェーン等で繋がれたヘッドカバーも手にすることができ、容易にクラブヘッドにヘッドカバーを被せることができる。また、アクセサリーに若干重量のあるものを使用すれば、ヘッドカバーは軽量なのでポケットから脱落しにくく紛失する恐れもない。
【００１９】
またさらに、本考案によれば前記留め具を金属製にし、且つ該留め具の一端部を前記ゴルフクラブのヘッドカバーの開口部近傍にリベットを用いてかしめることにより配設し、他端部として前記アクセサリー類の取り付け部を溶接により接合したので、前記留め具を前記ゴルフクラブのカバーに強固に固定することができる。
【考案を実施するための最良の形態】
【００２０】
図１は、本考案に係るゴルフクラブのヘッドカバーの側面図である。また、図２は正面図、図３は平面図である。
ゴルフクラブのヘッドカバー１０は、図１に示すように、材質としてクッション性の有るボア等によりブーツ状に形成されており、上部は常時開放された開口部１２ａとして構成されていて、前面上半分は端辺１１ｂに取り付けられた両面ファスナー（商標名マジックテープ）１３により開閉自在な開口部１２ｂとして構成されている。
【００２１】
ヘッドカバー１０の上記開口部１２ａの端辺１１ａの近傍にはアクセサリー類を取り付けるための留め具１４が配設されている。留め具１４は、図５に示すように、一端部は断面コ字状部１４ａとして形成されており、その両面にはリベット留め用の穴１４ｂが設けられている。また、該留め具１４の他端部はリング状の係止部１４ｃとして形成されている。
留め具１４は金属からなり、前記リング状の係止部１４ｃは前記コ字状部１４ａに溶接にて接合されている。
留め具１４のヘッドカバー１０への取り付けは、ヘッドカバー１０の上部開口部１２ａの端辺１１ａの近傍に予め孔を開けておいて、コ字状部１４ａをその部分の端辺に挟み込んでコ字状部１４ａの穴１４ｂにリベット１４ｄを通してかしめる。これにより、強固に留め具１４が本考案に係るゴルフクラブのヘッドカバー１０の開口部１２端辺に固定されるので衝撃等により外れることはない。
【００２２】
そして、この留め具１４のリング状部１４ｃには、図４に示すように、ゴルフプレーヤーの使いたいアクセサリー１５のチェーン１６をかみ合わせることによって取り付ける。ここで用いたアクセサリー１５は、打ったゴルフボールにより凹ましたグリーン等を修正するためのフォーク状の道具であり、取り付けるチェーン１６の長さなどは好みによって自在に設定することができる。
【００２３】
図６は、本考案のその他の実施例を表した図であり、（ａ）は側面図、（ｂ）は平面図である。このヘッドカバー２０は後端部に開口部２２が設けられており、上部の開口部２２近傍に留め具１４が配設されているという構成である。
【００２４】
また、前記ゴルフクラブのカバー１０は、プレーに使用するゴルフクラブのヘッドに合わせたものであればどのような形状でも良く、前記開口部１２（１２ａ、１２ｂ）の構造も多種多様に形成することができる。また、留め具１４も上記実施の形態では金属としたが、プラスチック又はゴムでもよく、その場合もリング状部１４ｃはリベットにて取り付けることになる。また、コ字状部１４ａはその一片の下端が円形で他の部分は方形状になっているが、断面がコ字状でさえあればよく、片の形はこの形に限定するものではなく、ハート型でもクローバ型でも自在に形成することができる。
【産業上の利用可能性】
【００２５】
本考案に係るゴルフクラブのヘッドカバーは、アクセサリー類の取り付け・取り外しが容易にできるため、ゴルフプレーヤーの様々な要望に対応することができるとともに、アクセサリーをズボンのポケットに入れてヘッドカバーをポケットの外側に出しておくと、邪魔にならないばかりか取り扱いが楽になる。
【図面の簡単な説明】
【００２６】
【図１】本考案に係るゴルフクラブの一実施の形態のヘッドカバーの側面図である。
【図２】図１に示すゴルフクラブのヘッドカバーの正面図である。
【図３】図１に示すゴルフクラブのヘッドカバーの平面図である。
【図４】図１に示すゴルフクラブのヘッドカバーへアクセサリーを取り付けら図である。
【図５】本考案に係るゴルフクラブのヘッドカバーに設けた留め具を示し、（ａ）は正面図、（ｂ）は側面図、（ｃ）は（ａ）のＡ−Ａ線断面図で一部分解して示した図である。
【図６】本考案に係るゴルフクラブのヘッドカバーの他の実施形態で（ａ）は側面図、（ｂ）は平面図である。
【符号の説明】
【００２７】
１０    ゴルフクラブのヘッドカバー
１１ａ、１１ｂ  端辺
１２ａ、１２ｂ  開口部
１３    両面ファスナー
１４    留め具
１４ａ  コ字状部
１４ｂ  穴
１４ｃ  リング状の係止部
１４ｄ  リベット
１５    アクセサリー
１６    チェーン        
【図１】
0003107347.tif 000003
【図２】
0003107347.tif 000004
【図３】
0003107347.tif 000005
【図４】
0003107347.tif 000006
【図５】
0003107347.tif 000007
【図６】
0003107347.tif 000008